(57)【要約】【課題】ガス使用に関連して停電時に起こり得る様々な事態に対処可能な応用的な特徴を有するガス漏れ警報器およびガス漏れ警報遮断システムを提供すること。【解決手段】ガス漏れ警報器１は、停電時の動作をバックアップする電池４を備えたガス漏れ警報器であって、停電が発生したか否かを検出する停電検出手段２，５と、停電検出手段２，５により停電の発生が検知された場合、停電報知信号をマイコンガスメータ２０に送出する停電報知手段２とをさらに備えている。【選択図】図１
2006065747.tif 000002
【特許請求の範囲】
【請求項１】
停電時の動作をバックアップする電池を備えたガス漏れ警報器であって、
停電が発生したか否かを検出する停電検出手段と、
前記停電検出手段により停電の発生が検知された場合、停電報知信号をマイコンガスメータに送出する停電報知手段と
をさらに備えたことを特徴とするガス漏れ警報器。
【請求項２】
請求項１記載のガス漏れ警報器において、
前記停電検出手段により停電の発生が検知された場合に点灯して、前記ガス漏れ警報器の周囲を照明する照明装置をさらに備えた
ことを特徴とするガス漏れ警報器。
【請求項３】
請求項１記載のガス漏れ警報器において、
前記停電検出手段により停電の発生が検知された場合に予め設定された避難経路を表示する表示手段をさらに備えた
ことを特徴とするガス漏れ警報器。
【請求項４】
請求項１記載のガス漏れ警報器において、
ＰＨＳユニットをさらに備え、
前記停電報知手段は、停電報知信号をＰＨＳユニットにも送出し、
前記ＰＨＳユニットは、前記停電報知手段より送出される停電報知信号を受信すると、指定の電話機へ自動ダイヤルして、予め記憶している停電報知用メッセージを前記電話機に報知する
ことを特徴とするガス漏れ警報器。
【請求項５】
請求項４記載のガス漏れ警報器において、
停電が復旧したか否かを検出する停電復旧検出手段と、
前記停電復旧検出手段により停電復旧の発生が検知された場合、停電復旧報知信号を前記ＰＨＳユニットに送出する停電復旧報知手段とをさらに備え、
前記ＰＨＳユニットは、前記停電復旧報知手段より送出される停電復旧報知信号を受信すると、指定の電話機へ自動ダイヤルして、予め記憶している停電復旧報知用メッセージを前記電話機に報知する
ことを特徴とするガス漏れ警報器。
【請求項６】
請求項１記載のガス漏れ警報器において、
停電の有無にかかわらず、ガス漏れ発生時に発生日時を記憶する記憶手段をさらに備えた
ことを特徴とするガス漏れ警報器。
【請求項７】
請求項１に記載のガス漏れ警報器と、該ガス漏れ警報器に接続されたマイコンガスメータとからなるガス漏れ警報遮断システムであって、
前記マイコンガスメータは、前記停電報知手段から送出された前記停電報知信号を受信した場合、ガス遮断を行い、
前記ガス漏れ警報器は、前記マイコンガスメータが遮断状態である場合、その旨を報知する遮断報知手段をさらに備えた
ことを特徴とするガス漏れ警報遮断システム。
【請求項８】
請求項７記載のガス漏れ警報遮断システムにおいて、
前記ガス漏れ警報器は、停電が復旧したか否かを検出する停電復旧検出手段と、前記停電復旧検出手段により停電復旧の発生が検知された場合、安全の確認と前記マイコンガスメータのガス遮断を解除する手順を表示する表示手段とをさらに備えた
ことを特徴とするガス漏れ警報遮断システム。
【請求項９】
請求項７または８記載のガス漏れ警報遮断システムにおいて、
前記ガス漏れ警報器は、停電の有無にかかわらず、ガス漏れ発生時に発生日時を記憶すると共に、前記マイコンガスメータにおけるガス遮断の発生時に発生日時を記憶する記憶手段をさらに備えた
ことを特徴とするガス漏れ警報遮断システム。
【請求項１０】
請求項１に記載のガス漏れ警報器と、該ガス漏れ警報器に接続されたマイコンガスメータとからなるガス漏れ警報遮断システムであって、
ガス流路に接続された簡易遮断弁をさらに備え、
前記ガス漏れ警報器は、前記停電検出手段により停電の発生が検知された場合、簡易遮断弁用の駆動パルスを出力する駆動パルス出力手段をさらに備え、
前記簡易遮断弁は、前記駆動パルス出力手段から送出された前記駆動パルスにより、ガス遮断を行う
ことを特徴とするガス漏れ警報遮断システム。
【発明の詳細な説明】
【技術分野】
【０００１】
本発明は、ガス漏れ警報器およびガス漏れ警報遮断システムに関し、特に、災害発生時などの停電発生直後からガス供給設備の破損によるガス漏れを監視して警報することにより二次災害の発生を防止するガス漏れ警報器およびガス漏れ警報遮断システムに関する。
【背景技術】
【０００２】
従来のガス漏れ警報器は、主に商用電源（ＡＣ１００Ｖ）にて動作しており、地震などの災害発生時に予想される停電の際には、電源が供給されなくなるため、ガス漏れを監視・警報することができなかった。
【０００３】
一方、停電時にバックアップ電源として電池を備えたガス漏れ警報器が、たとえば、特開平５−２７４５７１号公報（特許文献１）や特開平６−４４４７８号公報（特許文献２）に開示されている。
【特許文献１】特開平５−２７４５７１号公報
【特許文献２】特開平６−４４４７８号公報
【発明の開示】
【発明が解決しようとする課題】
【０００４】
特開平５−２７４５７１号公報（特許文献１）に開示されているガス漏れ警報器は、停電等により商用電源が断たれると、使用期間の計時は支障なく行われるが、その本来のガス漏れ警報機能は果たさなくなるように構成されている。
【０００５】
一方、特開平６−４４４７８号公報（特許文献２）に開示されているガス漏れ警報器は、商用電源の停電時には、電池によりＣＰＵの内部ＲＡＭの記憶データを保存することができ、さらに、電池の寿命を判断して、電池電圧が低下寿命が到来するまでは、本来のガス漏れ警報機能を果たすことができるように構成されている。
【０００６】
上述の従来のガス漏れ警報器は、商用電源のみで動作するタイプ、バックアップ電池を有するが、停電時にはガス漏れ警報機能を持たないタイプ、停電時にもガス漏れ警報機能を持っているタイプがある。特に、停電時にもガス漏れ警報機能を持っているタイプは有用なものであるが、単に基本的機能を有するだけである。
【０００７】
ところが、最近では、停電時に対処すべきこととして基本的な特徴であるガス漏れ警報機能だけではもの足りず、それ以外に、ガス使用に関連して停電時に起こり得る様々な事態に対処可能な応用的な特徴を有するガス漏れ警報器と、該ガス漏れ警報器を利用したガス漏れ警報遮断システムが望まれている。
【０００８】
そこで本発明は、上述した従来の課題に鑑み、ガス使用に関連して停電時に起こり得る様々な事態に対処可能な応用的な特徴を有するガス漏れ警報器およびガス漏れ警報遮断システムを提供することを目的としている。
【課題を解決するための手段】
【０００９】
請求項１記載の発明は、停電時の動作をバックアップする電池を備えたガス漏れ警報器であって、停電が発生したか否かを検出する停電検出手段と、前記停電検出手段により停電の発生が検知された場合、停電報知信号をマイコンガスメータに送出する停電報知手段とをさらに備えたことを特徴とする。
【００１０】
請求項２記載の発明は、請求項１記載のガス漏れ警報器において、前記停電検出手段により停電の発生が検知された場合に点灯して、前記ガス漏れ警報器の周囲を照明する照明装置をさらに備えたことを特徴とする。
【００１１】
請求項３記載の発明は、請求項１記載のガス漏れ警報器において、前記停電検出手段により停電の発生が検知された場合に予め設定された避難経路を表示する表示手段をさらに備えたことを特徴とする。
【００１２】
請求項４記載の発明は、請求項１記載のガス漏れ警報器において、ＰＨＳユニットをさらに備え、前記停電報知手段は、停電報知信号をＰＨＳユニットにも送出し、前記ＰＨＳユニットは、前記停電報知手段より送出される停電報知信号を受信すると、指定の電話機へ自動ダイヤルして、予め記憶している停電報知用メッセージを前記電話機に報知することを特徴とする。
【００１３】
請求項５記載の発明は、請求項４記載のガス漏れ警報器において、停電が復旧したか否かを検出する停電復旧検出手段と、前記停電復旧検出手段により停電復旧の発生が検知された場合、停電復旧報知信号を前記ＰＨＳユニットに送出する停電復旧報知手段とをさらに備え、前記ＰＨＳユニットは、前記停電復旧報知手段より送出される停電復旧報知信号を受信すると、指定の電話機へ自動ダイヤルして、予め記憶している停電復旧報知用メッセージを前記電話機に報知することを特徴とする。
【００１４】
請求項６記載の発明は、請求項１記載のガス漏れ警報器において、停電の有無にかかわらず、ガス漏れ発生時に発生日時を記憶する記憶手段をさらに備えたことを特徴とする。
【００１５】
請求項７記載の発明は、請求項１に記載のガス漏れ警報器と、該ガス漏れ警報器に接続されたマイコンガスメータとからなるガス漏れ警報遮断システムであって、前記マイコンガスメータは、前記停電報知手段から送出された前記停電報知信号を受信した場合、ガス遮断を行い、前記ガス漏れ警報器は、前記マイコンガスメータが遮断状態である場合、その旨を報知する遮断報知手段をさらに備えたことを特徴とする。
【００１６】
請求項８記載の発明は、請求項７記載のガス漏れ警報遮断システムにおいて、前記ガス漏れ警報器は、停電が復旧したか否かを検出する停電復旧検出手段と、前記停電復旧検出手段により停電復旧の発生が検知された場合、安全の確認と前記マイコンガスメータのガス遮断を解除する手順を表示する表示手段とをさらに備えたことを特徴とする。
【００１７】
請求項９記載の発明は、請求項７または８記載のガス漏れ警報遮断システムにおいて、前記ガス漏れ警報器は、停電の有無にかかわらず、ガス漏れ発生時に発生日時を記憶すると共に、前記マイコンガスメータにおけるガス遮断の発生時に発生日時を記憶する記憶手段をさらに備えたことを特徴とする。
【００１８】
請求項１０記載の発明は、請求項１に記載のガス漏れ警報器と、該ガス漏れ警報器に接続されたマイコンガスメータとからなるガス漏れ警報遮断システムであって、ガス流路に接続された簡易遮断弁をさらに備え、前記ガス漏れ警報器は、前記停電検出手段により停電の発生が検知された場合、簡易遮断弁用の駆動パルスを出力する駆動パルス出力手段をさらに備え、前記簡易遮断弁は、前記駆動パルス出力手段から送出された前記駆動パルスにより、ガス遮断を行うことを特徴とする。
【発明の効果】
【００１９】
請求項１記載の発明によれば、停電の発生時にマイコンガスメータに停電発生を報知して、マイコンガスメータにおけるガス遮断を促すことができ、ガス使用の停電時の安全を向上させることができる。
【００２０】
請求項２記載の発明によれば、停電の発生時にガス漏れ警報器の周囲が照明され、停電時の安全性を確保することができる。
【００２１】
請求項３記載の発明によれば、停電の発生時に避難経路を表示して、素早く避難することができるように誘導することができる。
【００２２】
請求項４記載の発明によれば、停電の発生時に指定の電話機に報知することができ、指定の電話機で報知された者は、然るべき措置をとることができる。
【００２３】
請求項５記載の発明によれば、停電復旧の発生時に指定の電話機に報知することができ、指定の電話機で報知された者は、然るべき措置をとることができる。
【００２４】
請求項６記載の発明によれば、停電の有無にかかわらず継続的にガス漏れの発生日時が記憶されるので、記憶されたデータに基づいてガス漏れ発生頻度等を解析し、ユーザからのクレーム等に対処することができる。
【００２５】
請求項７記載の発明によれば、停電の発生時にマイコンガスメータにおいてガス遮断が行われ、その旨がユーザに報知されるのでガス使用の停電時の安全性を確保することができる。
【００２６】
請求項８記載の発明によれば、停電復旧の発生時に安全の確認とマイコンガスメータのガス遮断の解除する手順について確認することができ、ガス使用の停電復旧時の安全性を確保することができる。
【００２７】
請求項９記載の発明によれば、停電の有無にかかわらず継続的にガス漏れの発生日時およびガス遮断の日時が記憶されるので、記憶されたデータに基づいてガス漏れ発生頻度やガス遮断発生頻度等を解析し、ユーザからのクレーム等に対処することができる。
【００２８】
請求項１０記載の発明によれば、停電の発生時に簡易遮断弁においてガス遮断が行われるので、ガス使用の停電時の安全性を確保することができる。
【発明を実施するための最良の形態】
【００２９】
以下、本発明の最良の形態について、図面を参照して説明する。図１は、本発明の最良の形態に係るガス漏れ警報器を使用したガス漏れ警報遮断システムを示すブロック図である。
【００３０】
ガス漏れ警報遮断システムは、ガス漏れ警報器１と、ガス漏れ警報器１に接続されるマイコンガスメータ２０または簡易遮断弁３０とからなる。
【００３１】
ガス漏れ警報器１は、マイクロコンピュータ（以下、ＣＰＵという）２、電源回路３、電池４、電源切替回路５、ガスセンサ６、火災センサ７、メモリ８、表示部９、音声出力部１０、照明装置１１およびＰＨＳユニット１２から構成される。
【００３２】
ＣＰＵ２は、電源端子Ｖｃｃおよび入出力用のポートＰ１〜Ｐ１０を有し、ガス漏れ警報器の全体動作を制御する制御手段として働くと共に、停電検出手段の一部、停電復旧検出手段の一部、停電報知手段、停電復旧報知手段、遮断報知手段および駆動パルス出力手段として働く。電源端子Ｖｃｃには、商用電源（ＡＣ１００Ｖ）に接続された電源回路３から出力される直流電圧と、停電時のバックアップ電源として働く電池４から出力される直流電圧とを切り替える電源切替回路５から得られる電源電圧が供給される。
【００３３】
ポートＰ１には、電源切替回路５から、停電時に、ＣＰＵ２への電源供給が商用電源（ＡＣ１００Ｖ）から電池４に切り替えられたことを示す停電信号が入力されると共に、停電復旧時に、ＣＰＵ２への電源供給が電池４から商用電源（ＡＣ１００Ｖ）に切り替えられたことを示す停電復旧信号が入力される。ポートＰ２には、ガス漏れを検出するガスセンサ６からの検出信号が入力される。ポートＰ３には、火災を検出する火災センサ７からの検出信号が入力される。ポート４には、記憶手段として働くＥＥＰＲＯＭ等の不揮発性メモリからなるメモリ８が接続されている。
【００３４】
ポート５には、表示手段として働くＬＣＤ（液晶ディスプレイ）等からなる表示部９が接続されている。ポート６には、音声出力手段として働くスピーカ等からなる音声出力部１０が接続されている。ポート７には、ランプ等からなる照明装置１１が接続されている。ポート８には、ＰＨＳ（Personal Handyphone System）ユニット１２が接続されている。ポート９には、マイコンガスメータ２０が接続されている。ポート１０には、ガス流路３１を遮断するための簡易遮断弁３０が接続される。
【００３５】
電源切替回路５は、ガス漏れ警報器１の通常の電源として使用される商用電源（ＡＣ１００Ｖ）の停電時に、電源回路３から電池４に切り替え、電池４からの直流電圧を電源電圧として、ＣＰＵ２の電源端子Ｖｃｃに供給する。また、電源切替回路５は、停電時に商用電源（ＡＣ１００Ｖ）から電池４に切り替えられたことを示す停電信号が入力されると共に、停電復旧時に電池４から商用電源（ＡＣ１００Ｖ）に切り替えられたことを示す停電復旧信号を出力し、停電検出手段の一部および停電復旧検出手段の一部として働く。
【００３６】
次に、ＣＰＵ２の制御により実行されるガス漏れ警報遮断システムの動作について、図２および図３のフローチャートを参照して説明する。
【００３７】
まず、商用電源（ＡＣ１００Ｖ）から電源が供給される通常時において、ＣＰＵ２は、ガス漏れが有るか否かを判定する（ステップＳ１）。この判定は、ポートＰ２にガスセンサ６からの検出信号が入力されたか否かに基づいて行われる。ガス漏れが検出されれば、表示部９に警報表示すると共に、音声出力部１０から警報音を発し（ステップＳ２）、次いでステップＳ４に進む。一方、ガス漏れが検出されなければ、待機状態をとって（ステップＳ３）、ステップＳ４に進む。
【００３８】
ステップＳ４では、ＣＰＵ２は、マイコンガスメータ２０が遮断状態であることを示す遮断信号をポートＰ９を介してマイコンガスメータ２０から受信したか否かを判定し、受信していれば、その旨を表示部９に表示して報知すると共に、音声出力部１０からも報知し（ステップＳ５）、次いでステップＳ６に進む。受信していなければ、直接ステップＳ６に進む。
【００３９】
ステップＳ６では、ＣＰＵ２は、火災があるか否かを判定する。この判定は、ポートＰ３に火災センサ７からの検出信号が入力されたか否かに基づいて行われる。火災が検出されれば、表示部９に警報表示すると共に、音声出力部１０から警報音を発し（ステップＳ７）、次いでステップＳ９に進む。一方、火災が検出されなければ、待機状態をとって（ステップＳ８）、ステップＳ９に進む。
【００４０】
ステップＳ９では、ＣＰＵ２は、停電が発生したか否かを判定する。この判定は、ポートＰ１に電源切替回路５からの停電信号が入力されたか否かに基づいて行われる。停電が発生していなければステップＳ１に戻り、発生していればステップＳ１０に進む。
【００４１】
ステップＳ１０では、照明装置１１を点灯させる。ガス漏れ警報器１は、ＬＰガスの漏れを検出するタイプであれば、一般的に室内壁の下方、すなわち床に近い位置に配置されるので、照明装置１１は、ガス漏れ警報器１の周囲を明るくさせ、足元灯として有効に働く。次に、表示部９に避難経路の表示を行わせる（ステップＳ１１）。この避難経路は、ユーザー宅の構造に応じて予め設定される。
【００４２】
次に、停電発生を知らせる停電報知信号をポートＰ９からマイコンガスメータ２０へ送出し（ステップＳ１２）、マイコンガスメータ２０におけるガス遮断を促す。マイコンガスメータ２０は、停電報知信号を受信するとガス遮断を行う。次に、停電報知信号をＰＨＳユニット１２に送出する（ステップＳ１３）。ＰＨＳユニット１２は、停電報知信号を受信すると、ユーザーが予め指定した電話機（図示しない）の電話番号を自動ダイヤルして呼び出す。呼び出された指定の電話機が応答すると、ＰＨＳユニット１２は、内蔵のメモリに予め記憶している停電報知用メッセージを読み出して指定の電話機へ報知する。
【００４３】
次に、ＣＰＵ２は、ガス漏れが有るか否かを判定する（ステップＳ１４）。この判定は、ステップＳ１と同様に行われる。ガス漏れが検出されれば、表示部９に警報表示すると共に、音声出力部１０から警報音を発し（ステップＳ１５）、次いで、ポートＰ１０より簡易遮断弁用の駆動パルスを出力する（ステップＳ１６）。簡易遮断弁３０は、供給された駆動パルスにより駆動されて、ガス流路３１の遮断を行う。したがって、ガス漏れ警報器１に、マイコンガスメータ２０が接続されておらずかつ簡易遮断弁３０が接続されている場合でも、停電時にガス流路３１を遮断して安全性を確保することができる。
【００４４】
次に、ＣＰＵ２は、マイコンガスメータ２０が遮断状態であることを示す遮断信号をポートＰ９を介してマイコンガスメータ２０から受信したか否かを判定し（ステップＳ１７）、受信していれば、その旨を表示部９に表示して報知すると共に、音声出力部１０からも報知し（ステップＳ１８）、次いでステップＳ２０に進む。受信していなければ、直接ステップＳ２０に進む。一方、ステップＳ１４で、ガス漏れが検出されなければ、待機状態をとって（ステップＳ１９）、ステップＳ２０に進む。
【００４５】
ステップＳ２０では、ＣＰＵ２は、火災があるか否かを判定する。この判定は、ステップＳ６と同様に行われる。火災が検出されれば、表示部９に警報表示すると共に、音声出力部１０から警報音を発し（ステップＳ２１）、次いでステップＳ２３に進む。火災が検出されなければ、待機状態をとって（ステップＳ２２）、ステップＳ２３に進む。
【００４６】
ステップＳ２３では、ＣＰＵ２は、停電が復旧したか否かを判定する。この判定は、ポートＰ１に電源切替回路５からの停電復旧信号が入力されたか否かに基づいて行われる。停電復旧が発生していなければステップＳ１４に戻り、発生していればステップＳ２４に進む。
【００４７】
ステップＳ２４では、照明装置１１を消灯させる。次に、表示部９に表示されている避難経路の表示を消し（ステップＳ２５）、次いでステップＳ２６に進む。
【００４８】
ステップＳ２６では、ステップＳ１８で報知されていたガス遮断を解除するに際して、安全の確認と遮断弁を開く手順の説明を、表示部９に表示すると共に、音声出力部１０より音声メッセージで出力する。すなわち、ユーザが使用するガス燃焼器具側で、火が消えた状態で、ガスを出すと危険であるため、停電復旧時には、自動的に遮断弁を開けないこととする。それにより、停電復旧時、ユーザは、表示器９および音声出力部１０で報知される手順に従って安全にガス遮断を解除し、再びガス燃焼器具を使用することができる。
【００４９】
次に、停電が復旧したことを知らせる停電復旧信号をＰＨＳユニット１２に送出する（ステップＳ２７）。ＰＨＳユニット１２は、停電復旧報知信号を受信すると、指定の電話機の電話番号を自動ダイヤルして呼び出す。呼び出された指定の電話機が応答すると、ＰＨＳユニット１２は、内蔵のメモリに予め記憶している停電復旧報知用メッセージを読み出して指定の電話機へ報知する。
【００５０】
このように、本発明によれば、基本的な特徴であるガス漏れ警報機能だけなく、停電時に起こり得る様々な事態に対処可能な応用的な特徴を有するガス漏れ警報器と、該ガス漏れ警報器を利用したガス漏れ警報遮断システムを提供することができる。
【００５１】
以上の通り、本発明の実施の形態について説明したが、本発明はこれに限らず、種々の変形、応用が可能である。
【００５２】
たとえば、ＣＰＵ２は、ステップＳ１およびＳ１４においてガス漏れが検出される度に、検出された日時をメモリ８に記憶させることができる。その結果、メモリ８には、停電の有無にかかわらず継続的にガス漏れ発生の日時が記憶されるので、記憶された日時データに基づいて、ガス漏れ発生頻度等を解析し、ユーザーからのクレーム等に対処することができる。
【００５３】
また、ＣＰＵ２は、ステップＳ４およびＳ１７においてマイコンガスメータ２０より遮断信号を受信する度に、ガス遮断の発生日時をメモリ８に記憶させることができる。その結果、メモリ８には、停電の有無にかかわらず継続的にガス遮断発生の日時が記憶されるので、記憶された日時データに基づいて、ガス遮断発生頻度等を解析し、ユーザーからのクレーム等に対処することができる。
【図面の簡単な説明】
【００５４】
【図１】本発明の最良の形態に係るガス漏れ警報器を使用したガス漏れ警報遮断システムを示すブロック図である。
【図２】図１のガス漏れ警報遮断システムの動作を説明するフローチャートである。
【図３】図１のガス漏れ警報遮断システムの動作を説明するフローチャートである。
【符号の説明】
【００５５】
１  ガス漏れ警報器
２  ＣＰＵ（停電検出手段の一部、停電復旧検出手段の一部、停電報知手段、停電復旧報知手段、遮断報知手段および駆動パルス出力手段）
５  電源切替回路（停電検出手段の一部、停電復旧検出手段の一部）
６  ガスセンサ
７  火災センサ
８  メモリ（記憶手段）
９  表示部（表示手段）
１０  音声出力部
１１  照明装置
１２  ＰＨＳユニット
２０  マイコンガスメータ
３０  簡易遮断弁
【図１】
2006065747.tif 000003
【図２】
2006065747.tif 000004
【図３】
2006065747.tif 000005